(57)【要約】【課題】浴槽の水位が減少したとき、その減少した水位を補うべく湯を注ぎ足すと共に、所望の湯温を維持する湯張り方法および装置を提供する。【解決手段】加熱された湯を蓄える貯湯タンクから浴槽に接続された配管路を介して所望の満水位置までその浴槽内に湯張りをした後、該浴槽内における湯の水位が所定の水位を下回ったとき、その減少した湯量を求めると共に、該浴槽の満水位置まで前記貯湯タンクから足し湯をする際、前記浴槽内の湯を所望の湯の温度にするに必要な足し湯の熱量を求め、前記湯量および前記熱量を満足する足し湯を行う。【選択図】図２
2008116130.tif 000002
【特許請求の範囲】
【請求項１】
加熱された湯を蓄える貯湯タンクから浴槽に接続された配管路を介して所望の満水位置までその浴槽内に湯張りをした後、該浴槽内における湯の水位が所定の水位を下回ったとき、その減少した湯量を求めると共に、該浴槽の満水位置まで前記貯湯タンクから足し湯をする際、前記浴槽内の湯を所望の湯の温度にするに必要な足し湯の熱量を求め、前記湯量および前記熱量を満足する足し湯を行うことを特徴とする風呂湯張り方法。
【請求項２】
加熱された湯を蓄える貯湯タンクから浴槽に接続された配管路を介して所望の満水位置までその浴槽内に湯張りをした後、該浴槽内における湯の水位が所定の水位を下回ったとき、前記浴槽に湯を注ぎ足して所望の満水位置を維持する風呂湯張り装置であって、
前記配管路に介挿されて前記貯湯タンクに蓄えられた湯と外部から供給される水とを混合して所望の湯温に調整する混合弁と、
前記浴槽に湯張りする湯の温度および満水位置を設定する設定部と、
前記浴槽に接続された配管路を介して、該浴槽に湯張りされた湯の水位および温度をそれぞれ検出する水位センサおよび温度センサと、
前記水位センサが前記設定部に設定された満水位置から所定の水位を下回ったことを検出したとき、その減少した水位から満水位置に至るまでに必要な前記浴槽への注ぎ足し湯量を求める給湯容量計算部と、
この給湯容量計算部が求めた注ぎ足し湯量を前記浴槽に満たすとき、前記温度センサが検出した前記湯の温度から前記設定部に設定された湯温にするに必要な前記注ぎ足し湯の熱量を求める給湯熱量計算部と、
前記混合弁を調整して前記浴槽に前記給湯熱量計算部が求めた熱量を満たす足し湯を供給する混合弁調整部と
を備えることを特徴とする風呂湯張り装置。
【発明の詳細な説明】
【技術分野】
【０００１】
本発明は、風呂湯張り方法および装置に係り、特に浴槽に満たした湯が減少した際、足し湯を行い、所定の満水位および湯温を維持するに好適な風呂湯張り方法および装置に関する。
【背景技術】
【０００２】
近時、省エネルギーの観点からヒートポンプを利用した給湯装置の利用が拡大し、例えば家庭用の風呂湯張り装置等にも適用されている。この種の湯張り装置は、概略的には、図７に示すように浴槽１と、外部から導いた給水を加熱するヒートポンプ２、このヒートポンプ２によって加熱された湯を保持する貯湯タンク３、この貯湯タンク３に蓄えられた湯を浴槽１に導く給湯配管路４を備えて構成される。
【０００３】
このように構成された風呂湯張り装置は、図示しない風呂リモコンからユーザによって設定入力された湯の温度（湯温）および満水位になるよう給湯される。
このようにして浴槽に給湯された湯は、ユーザが入浴して使用することによって浴槽内の湯の水位が低下していく。この水位低下分を補って浴槽に給湯する湯張り制御装置として浴槽用給湯及び追焚装置の制御方法（例えば、特許文献１を参照）や自動風呂装置（例えば、特許文献２を参照）が知られている。
【特許文献１】特開平２−３０６０５１号公報
【特許文献２】特開２００１−２１５０５１号公報
【発明の開示】
【発明が解決しようとする課題】
【０００４】
しかしながら、上述したヒートポンプを用いた風呂湯張り装置や特許文献２に記載の自動風呂装置は、浴槽の水位が減少したときに満水位置まで水位復元を行うので、湯張りまたは水位復元から、次の水位復元までの時間が長い場合、浴槽内の湯の温度が低下しているので風呂リモコンで設定された設定温度の足し湯を行ったとしても浴槽内の湯温が所望の温度よりも低くなり入浴に適さないという問題がある。
【０００５】
もちろん足し湯の後、追い焚きして浴槽の湯温を調整することもできるが、沸かし直しに時間を要すると共に、熱交換ロスによる効率低下が生じる。また、貯湯式の場合は、追い焚きに伴う熱交換によってタンク内の温度分布が壊れるという問題が新たに生じる。
次に前述した特許文献１に記載の浴槽用給湯及び追焚装置の制御方法は、浴槽内の水位が低下したとき、少量の足し湯を行って浴槽内の温度を検出し、所望の温度よりも低い場合に追い焚きを行うことを繰り返し実行することで所望の満水位置まで給湯する制御方法をとっているので、前述した従来の風呂湯張り装置と同様に熱交換ロスによる効率低下や熱交換によってタンク内の温度分布が壊れるという問題が生じる。
【０００６】
本発明は、このような従来の湯張り装置の問題を解決するべくなされたもので、その目的とするところは、浴槽の水位が減少したとき、その減少した水位を補うべく湯を注ぎ足すと共に、所望の湯温を維持する風呂湯張り方法および装置を提供しようとするものである。
【課題を解決するための手段】
【０００７】
上述した目的を達成するべく本発明の風呂湯張り方法は、加熱された湯を蓄える貯湯タンクから浴槽に接続された配管路を介して所望の満水位置までその浴槽内に湯張りをした後、該浴槽内における湯の水位が所定の水位を下回ったとき、その減少した湯量を求めると共に、該浴槽の満水位置まで前記貯湯タンクから足し湯をする際、前記浴槽内の湯を所望の湯の温度にするに必要な足し湯の熱量を求め、前記湯量および前記熱量を満足する足し湯を行うことを特徴としている。
【０００８】
またこの風呂湯張り方法が適用される本発明の風呂湯張り装置は、加熱された湯を蓄える貯湯タンクから浴槽に接続された配管路を介して所望の満水位置までその浴槽内に湯張りをした後、該浴槽内における湯の水位が所定の水位を下回ったとき、前記浴槽に湯を注ぎ足して所望の満水位置を維持する風呂湯張り装置であって、特に前記配管路に介挿されて前記貯湯タンクに蓄えられた湯と外部から供給される水とを混合して所望の湯温に調整する混合弁と、前記浴槽に湯張りする湯の温度および満水位置を設定する設定部と、浴槽に接続された配管路を介して、該浴槽に湯張りされた湯の水位および温度をそれぞれ検出する水位センサおよび温度センサと、前記水位センサが前記設定部に設定された満水位置から所定の水位を下回ったことを検出したとき、その減少した水位から満水位置に至るまでに必要な前記浴槽への注ぎ足し湯量を求める給湯容量計算部と、この給湯容量計算部が求めた注ぎ足し湯量を前記浴槽に満たすとき、前記温度センサが検出した前記湯の温度から前記設定部に設定された湯温にするに必要な前記注ぎ足し湯の熱量を求める給湯熱量計算部と、前記混合弁を調整して前記浴槽に前記給湯熱量計算部が求めた熱量を満たす足し湯を供給する混合弁調整部とを備えることを特徴としている。
【０００９】
したがって上述の風呂湯張り方法および風呂湯張り装置は、足し湯完了と同時に所望の設定温度の湯を浴槽に得ることができる。
【発明の効果】
【００１０】
本発明の風呂湯張り方法および装置は、浴槽内の湯が満水位置から減少したとき、再び満水位置まで足し湯をする際、足し湯後の温度を所望の温度にすることができるという優れた効果を奏し得る。
【発明を実施するための最良の形態】
【００１１】
以下、本発明の一実施形態に係る風呂湯張り方法を適用した風呂湯張り装置を図１〜図６に示す添付図面を参照しながら説明する。尚、これらの図において従来の風呂湯張り装置等を示す図７と同一の符号を付した部分は同一物を表し、基本的な構成は従来のものと同様である。また本発明の風呂湯張り方法および装置は、図１〜図６に示す図によって限定されるものではない。
【００１２】
さて、本発明の一実施形態に係る風呂湯張り方法を適用した風呂湯張り装置は、貯湯タンク３として低温貯湯タンク３ａおよび高温貯湯タンク３ｂの二つの貯湯タンクを備え、市水等から供給される給水をヒートポンプ２によって加熱して湯を作り、この湯を貯湯タンク３ａ，３ｂに蓄え、浴槽等に給湯する構成をとっている。そこでまず図１に示す配管回路図を用いながら本発明の風呂湯張り方法を適用した風呂湯張り装置について説明する。
【００１３】
市水等から供給される給水は、この給水に含まれる異物等の不純物を取り除くストレーナ６を介して、その下方に接続された配管路４ａによって導かれて低温貯湯タンク３ａに蓄えられる。また、ストレーナ６を出た給水の一部は、別の配管路４ｂを通り、給水の逆流を防止する逆止弁７ａを介して高温貯湯タンク３ｂから供給される湯と混合して給湯出力する給湯混合弁８に導かれる。この給湯混合弁８は、給湯に適した温度になるよう給水と湯とを混合して給湯水を出力する役割を担っている。尚、ストレーナ６と逆止弁７ａとを接続する配管路４ｂには、給水の温度を検出する給水サーミスタ９ａが設けられ、また給湯混合弁８から供給される給湯水を導く配管路４ｃには、この給湯水の温度を検出する給湯サーミスタ９ｂおよび給湯量を計測するフローセンサ１０が設けられている。
【００１４】
低温貯湯タンク３ａの下方には、この低温貯湯タンクに蓄えられた水を加熱するヒートポンプ２に導く配管路４ｄが接続される。この配管路４ｄには、低温貯湯タンクに蓄えられた水をヒートポンプ２に送り出すポンプ（ＨＰポンプ１１）が介挿されている。
ヒートポンプ２によって加熱された水は、湯となって再びヒートポンプ２に戻すことができるヒートポンプバイパス弁１２に接続された配管路４ｅ、および、このヒートポンプバイパス弁１２からその上方に接続された配管路４ｆによって高温貯湯タンク３ｂに導かれる。尚、ＨＰポンプ１１とヒートポンプ２とを接続する配管路４ｇおよびヒートポンプ２とヒートポンプバイパス弁１２とを接続する配管路４ｅには、それぞれエア抜きバルブ１３ａ，１３ｂが設けられて管路内の溜まったエアを抜くことができるようになっている。また、ヒートポンプ２とヒートポンプバイパス弁１２を接続する配管路４ｅには、ヒートポンプ２によって加熱された湯の温度を検出するヒートポンプサーミスタ９ｃが設けられている。
【００１５】
低温貯湯タンク３ａの上方には、高温貯湯タンク３ｂの下方に接続される配管路４ｈが設けられている。そして高温貯湯タンク３ｂの上方には、この高温貯湯タンク３ｂに蓄えられた湯と低温貯湯タンク３ａの上方に設けられた配管路４ｉによって導かれる湯を混合する中間混合弁１４に、それぞれの湯を導く配管路４ｊが設けられている。
中間混合弁１４によって混合された混合湯は、配管路４ｋに設けられた逆止弁７ｂを介して前述した給湯混合弁８に導かれる。更にこの混合湯は、配管路４ｋから分岐して別の逆止弁７ｃを介してストレーナ６から出た給水と混合して出力する風呂混合弁１５に導かれる。尚、中間混合弁１４から出た混合湯の温度は、配管路４ｋに設けられた混合サーミスタ９ｄによって検出される。また風呂混合弁１５から出た湯は、配管路４ｑに設けられた風呂サーミスタ９ｅによって検出される。
【００１６】
ちなみに低温貯湯タンク３ａには、低温貯湯タンク３ａの下方部に位置付けたサーミスタＴＨ１、略中央部に位置付けられたサーミスタＴＨ２および上方部に位置付けられたＴＨ３が備えられている。また高温貯湯タンク３ｂには、高温貯湯タンク３ｂの下方部に位置付けたサーミスタＴＨ４、略中央部に位置付けられたサーミスタＴＨ５および上方部に位置付けられたＴＨ６が備えられている。これらのサーミスタは、それぞれ低温貯湯タンク３ａおよび高温貯湯タンク３ｂ内の湯温を検出するとともに、各タンク内に湯がどの程度残っているのかを検知する役割を担っている。つまり、タンク内に湯がない場合は、サーミスタが検出する温度は、通常の湯温より低い温度である。したがって、通常の湯温より低い温度を検出したときは、貯湯タンク３ａ，３ｂ内に湯がないものと判断できる。
【００１７】
また高温貯湯タンク３ｂの上方には、更に別の配管路４ｍが設けられて、図示しない浴槽に蓄えられた湯を追い焚きする熱交換器１６の一次側を通って熱交換した後、低温貯湯タンク３ａに導かれるようになっている。尚、高温貯湯タンク３ｂと熱交換器１６との間の配管路４ｍには、逆流を防止する逆止弁７ｄ、熱交換器１６の出口から低温貯湯タンク３ａとの間には、追い焚き一次ポンプ１７がそれぞれ設けられている。
【００１８】
この熱交換器１６の二次側は、図示しない浴槽と循環して風呂水を追い焚きする追い焚き回路が接続されている。この追い焚き回路は、浴槽に接続された配管路４ｎから浴槽内の湯を導き、熱交換器１６の二次側を介して再び浴槽に戻す配管路４ｐによって構成され、配管路４ｎに介挿された風呂循環ポンプ１８によって湯が循環して追い焚きができるようになっている。尚、浴槽と風呂循環ポンプ１８とを接続する配管路４ｎには、浴槽に張られた湯の水圧を検出して浴槽の水位を求める水位センサ５、追い焚き回路内を湯が循環していることを検出するフロースイッチ１９および循環する湯の温度を検出する循環サーミスタ９ｆが設けられている。またそれぞれの配管路４ｎ，４ｐには、エア抜きバルブ１３ｃ，１３ｄがそれぞれ設けられて、これらの配管路４ｎ，４ｐ内に存在する不要なエアが抜けるようになっている。更に追い焚き回路には、浴槽の湯が減ったときに足し湯をするべく、風呂混合弁１５から風呂電磁弁２０の開閉制御によって湯を導く配管路４ｑが風呂循環ポンプ１８と熱交換器１６との間に接続されている。
【００１９】
このように各部が接続された本発明の風呂湯張り装置は、図２に示す給湯制御部３０によって制御される。この給湯制御部３０は、前述した水位センサ５、フローセンサ１０およびフロースイッチ１９が検出した情報を受け取るセンサ情報入力部３１、このセンサ情報入力部３１から入力された情報に基づいて後述する所定の演算を行う演算部３２、この演算部３２が演算した結果および後述する初期値等の情報を保持する記憶部３３、浴槽へ正しく給水が行われたかどうかを判定する風呂給水カウンタ３４、湯張り設定を実行させるテストスイッチ３５、湯張り設定中である等の作動状況を表示する表示部３６、風呂電磁弁２０、中間混合弁１４、風呂混合弁１５および風呂循環ポンプ１８を駆動制御する出力部３７、浴槽内の水位レベルや給湯温度を設定する設定部（操作入力部３９）および給湯制御部３０全体の制御を司る主制御部３８を備えて構成される。
【００２０】
前記演算部３２は、水位センサ５が操作入力部３９から設定された満水位置から所定の水位を下回ったことを検出したとき、その減少した水位から満水位置に至るまでに必要な前記浴槽への注ぎ足し湯量を求める給湯容量計算部３２ａと、給湯容量計算部３２ａが求めた注ぎ足し湯量を浴槽１に満たすとき、温度センサ（循環サーミスタ９ｆ）が検出した湯の温度から操作入力部３９から設定された湯温にするに必要な足し湯の熱量を求める給湯熱量計算部３ｂを備えている。
【００２１】
また前記主制御部３８は、各バルブを調整して浴槽１に給湯熱量計算部３ｂが求めた熱量を満たす足し湯を供給する混合弁調整部の役割も担っている。
概略的には上述したように構成された本発明の風呂湯張り装置に適用される風呂湯張り方法について図３、図５および図６のフローチャートを用いて説明する。図３のフローチャートは、施工時等に行われる風呂水位記憶運転時の作動に関するものであり、図５および図６のフローチャートは、風呂湯張り装置における風呂保温運転の作動手順を示すものである。
【００２２】
まず湯張り装置の主制御部３８は、テストスイッチ３５が押下されると（ステップＳ１）、アダプタ１ａの位置を検出するべく給水量を２０Ｌに設定（ステップＳ２）し、風呂電磁弁２０をオンにして（ステップＳ３）、中間混合弁１４の開度を給水側全開、風呂混合弁１５の開度を略中間開度にそれぞれ設定する（ステップＳ４，Ｓ５）。そして主制御部３８は、設定量の給水が完了したかどうかを確認する（ステップＳ６）。
【００２３】
主制御部３８は、ステップＳ６で設定量の給水が完了したと判定すると、次工程の一次給水工程に移行する。
尚、ステップＳ６で、主制御部３８は、設定量の給水が未完了と判定したとき、再びステップＳ８に戻り、設定量の給水が完了するまでその処理を繰り返す。
このようにしてアダプタ位置の検出ができた主制御部３８は、一次給水工程を開始するべく風呂電磁弁２０をオンする（ステップＳ７）。そして主制御部３８は、２０Ｌの給水が完了したかを確認する（ステップＳ８）。主制御部３８は、ステップＳ２１で設定量の給水が完了したと判定したとき、風呂電磁弁２０をオフする。
【００２４】
そして主制御部３８は、３０Ｌの給水が完了したかを確認する（ステップＳ１１）。主制御部３８は、ステップＳ１１で設定量の給水が完了したと判定したとき、風呂電磁弁２０をオフする（ステップＳ１２）。
そうして３０Ｌの給水が完了した後、主制御部３８は、演算部３２に所定の演算を行わせてその結果を記憶部３３に保持し、一次給水を完了する（ステップＳ１３）。ちなみにこのときの水位は、図４に示すようにアダプタ１ａの上方における一次注水水位の位置にある。
【００２５】
このようにして一次給水が完了した主制御部３８は、次に二次給水を開始するべく必要な給水量の計算を実行する（ステップＳ１４）。この給水量は、記憶部３３に保持された情報を用いて演算部３２が計算する。
そして主制御部３８は、風呂電磁弁２０をオンする（ステップＳ１５）。次いで主制御部３８は、設定した給水が完了したかを確認する（ステップＳ１６）。主制御部３８は、ステップＳ１６で設定量の給水が完了したと判定したとき、風呂電磁弁２０をオフする（ステップＳ１７）。ちなみにこのときの水位は、図４に示すように一次注水水位の上方の二次注水水位にある。
【００２６】
主制御部３８は、水位と水圧との関係を示す情報を記憶部３３に保持させるとともに、風呂水位記憶運転であるテストモードを終了する（ステップＳ１８）。
このようにして初期設定が完了した風呂湯張り装置における風呂保温運転について図５および図６のフローチャートを参照しながら説明する。
主制御部３８は、操作入力部３９から予め設定入力された風呂保温時間設定時間内であるかどうかを判定する（ステップＳ１０１）。そして主制御部３８は、更に保温が風呂保温時間設定時間内の所定時間以内で（ステップＳ１０２）、自動足し湯カット設定がなされていないかを判定する（ステップＳ１０３）。主制御部３８は、ステップＳ１０２で保温が所定時間以内で、自動足し湯カット設定がなされていないとき、浴槽１の水位が図示しない風呂リモコン等から設定された所望の満水水位（設定水位）から一定の水位以下になっているかどうかを水位センサ５によって検出された水位情報から判定する（ステップＳ１０４）。
【００２７】
尚ステップＳ１０３で主制御部３８は、自動足し湯カット設定がなされていると判定したとき、およびステップＳ１０４で風呂リモコン等から設定された所望の満水水位（設定水位）から一定の水位以下になっていないと判定したとき、再びステップＳ１０１以降の処理を実行する。
ステップＳ１０４で主制御部３８が浴槽水位が設定水位より一定の水位以下であると判定したとき、演算部３２は、設定水位と浴槽水位から設定水位までの給湯量を求める（ステップＳ１０５）。
【００２８】
演算部３２は、風呂リモコンに設定された給湯温度と循環サーミスタ９ｆが検出した湯温から足し湯の給湯温度Ｔ（Ｊ）を求める（ステップＳ１０６）。
次いで主制御部３８は、演算部３２が求めた給湯温度Ｔ（Ｊ）の値が予め定められた上限温度値以下であるかどうかを判定する（ステップＳ１０７）。ステップＳ１０７で主制御部３８は、給湯温度Ｔ（Ｊ）が上限温度値を超えていると判定したとき給湯温度Ｔ（Ｊ）を上限温度値に設定する（ステップＳ１０８）一方、給湯温度Ｔ（Ｊ）が上限温度値以下であると判定したときは、更に給湯温度Ｔ（Ｊ）が予め定められた下限温度値以上であるかどうかを判定する（ステップＳ１０９）。このステップＳ１０９で主制御部３８は、給湯温度Ｔ（Ｊ）が下限温度値未満であると判定したとき給湯温度Ｔ（Ｊ）を下限温度値に設定する（ステップＳ１１０）一方、給湯温度Ｔ（Ｊ）が下限温度値℃以上であると判定したときには、風呂電磁弁２０をオンする（ステップＳ１１１）。そして主制御部３８は、風呂給湯運転を実行し（ステップＳ１１２）、設定量の給湯が完了するまでステップＳ１１２の風呂給湯運転を実行する（ステップＳ１１３）。
【００２９】
ステップＳ１１３で設定量の給湯が完了すると主制御部３８は、風呂電磁弁２０をオフする（ステップＳ１１４）。次いで主制御部３８は、水位センサ５の検出値が満水位近傍にあるか調べる（ステップＳ１１５）。
主制御部３８は、ステップＳ１１５で水位センサ５の検出値が満水位近傍でないと判定したとき、演算部３２に再給湯量を求めさせる（ステップＳ１１６）。次いで主制御部３８は、前回の給湯と同じ給湯温度に設定し（ステップＳ１１７）、再びステップＳ１１１以降の処理を実行する。
【００３０】
またステップＳ１０２で主制御部３８は、保温が風呂保温時間設定時間内の所定時間以内でないと判定したとき、循環サーミスタ９ｆが検出した湯の温度が風呂設定温度より低いかどうかを判定する（ステップＳ１１８）。
主制御部３８は、ステップＳ１１８で循環サーミスタ９ｆが検出した湯の温度が風呂設定温度より低いと判定したとき、追い焚きタイマをリセットし（ステップＳ１１９）、風呂設定温度と循環サーミスタ９ｆとの温度差およびサーミスタＴＨ６から追い焚き一次ポンプ１７に運転ポジションを設定する（ステップＳ１２０）。そして主制御部３８は、追い焚き一次ポンプ１７をオンして（ステップＳ１２１）、追い焚き制御を実行する（ステップＳ１２２）。
【００３１】
次いで主制御部３８は、サーミスタＴＨ１〜ＴＨ６のすべてのサーミスタが検出した温度が所定給湯温度未満でないかどうかを判定する（ステップＳ１２３）。主制御部３８は、ステップＳ１２３でサーミスタＴＨ１〜ＴＨ６のすべてのサーミスタが検出した温度が所定給湯温度未満でないと判定したとき、更に循環サーミスタ９ｆが検出した温度が、風呂設定温度以上であるかを判定する（ステップＳ１２４）。
【００３２】
ステップＳ１２４で主制御部３８は、循環サーミスタ９ｆが検出した温度が、風呂設定温度以上であると判定したとき、追い焚き一次ポンプ１７をオフし（ステップＳ１２５）、所定時間経過後に風呂循環ポンプ１８をオフして（ステップＳ１２６）、追い焚きタイマをリセットし（ステップＳ１２７）、再びステップＳ１０１に戻って処理を継続する。
尚、ステップＳ１１８で主制御部３８は、循環サーミスタ９ｆが検出した温度が、風呂設定温度を超えていると判定したとき、ステップＳ１２５以降の処理を実行する。
【００３３】
またステップＳ１２４で主制御部３８は、循環サーミスタ９ｆが検出した温度が、風呂設定温度未満であると判定したとき、追い焚き開始から予め定めた時間内であるかどうかを判定する（ステップＳ１２８）。このステップＳ１２８で主制御部３８は、追い焚き開始から予め定めた時間内であると判定したときには、再びステップＳ１２２以降の追い焚き制御を実行する一方、追い焚き開始から予め定めた時間を超えていると判定したときには、風呂追い焚き異常処理を実行し（ステップＳ１２９）、ステップＳ１３０の風呂自動運転に移行する。
【００３４】
尚、ステップＳ１０１で主制御部３８は、風呂保温時間設定の時間内でないと判定したとき、およびステップＳ１２３でサーミスタＴＨ１〜ＴＨ６のいずれかのサーミスタが検出した温度が所定給湯温度を超えていると判定したとき、風呂待機工程に移行する（ステップＳ１３１）。
かくして本発明の風呂湯張り方法は、加熱された湯を蓄える貯湯タンク３ａ，３ｂから浴槽１に接続された配管路を介して所望の満水位置までその浴槽１内に湯張りをした後、浴槽１内における湯の水位が所定の水位を下回ったとき、その減少した湯量を求めると共に、浴槽１の満水位置まで貯湯タンク３ａ，３ｂから足し湯をする際、所望の湯の温度にするに要する足し湯の熱量を求め、その湯量および熱量を満足する足し湯を行っている。このため浴槽への足し湯完了と同時に所望の設定温度の湯が浴槽に得ることができる。
【００３５】
また本発明の風呂湯張り装置は、上述した風呂湯張り方法を適用したものであって、詳しくは加熱された湯を蓄える貯湯タンク３ａ，３ｂから浴槽１に接続された配管路を介して所望の満水位置までその浴槽１内に湯張りをした後、浴槽１内における湯の水位が所定の水位を下回ったとき、浴槽１に湯を注ぎ足して所望の満水位置を維持するよう構成したものであって、配管路に介挿されて貯湯タンク３ａ，３ｂに蓄えられた湯と外部から供給される水とを混合して所望の湯温に調整する給湯混合弁と、浴槽１に湯張りする湯の温度および満水位置を設定する設定部（操作入力部３９）と、浴槽１に接続された配管路を介して、浴槽１に湯張りされた湯の水位および温度をそれぞれ検出する水位センサ５および湯温センサ９ｆと、水位センサ５が操作入力部３９に設定された満水位置から所定の水位を下回ったことを検出したとき、その減少した水位から満水位置に至るまでに必要な浴槽１への注ぎ足し湯量を求める給湯容量計算部と、この給湯容量計算部が求めた注ぎ足し湯量を浴槽１に満たすとき、温度センサ９ｆが検出した湯の温度から操作入力部３９に設定された湯温にするに必要な注ぎ足し湯の熱量を求める給湯熱量計算部と、給湯混合弁９ｂを調整して浴槽１に給湯熱量計算部が求めた熱量を満たす足し湯を供給する混合弁調整部とを備えて構成されているので、足し湯完了と同時に所望の設定温度の湯を浴槽１内に得ることができる。
【００３６】
つまり本発明の風呂湯張り方法を適用した風呂湯張り装置は、浴槽内への足し湯を行うときの追い焚き回数を減らすことができ、それ故、効率低下を防ぐことができる。特に本発明の風呂湯張り方法を適用した風呂湯張り装置は、貯湯式タンク内の温度分布、即ち追い焚き一次回路のタンク戻り口付近の温度を乱すことがなく、追い焚き戻りによる中間温度水の生成を防止することができる等の実用上多大なる効果を奏する。
【００３７】
尚、本発明の風呂湯張り方法および装置は、上記した実施の形態に限定されるものではなく、本発明の要旨を逸脱しない範囲内において種々変更を加えてもかまわない。
【図面の簡単な説明】
【００３８】
【図１】本発明の一実施形態に係る風呂湯張り装置の機能部品との配管接続を示す要部配管回路図。
【図２】図１に示す風呂湯張り装置に適用される給湯制御部の構成を示すブロック図。
【図３】図２に示す給湯制御部の作動順序を示すフローチャート。
【図４】浴槽に給湯される水の水位関係を示す図。
【図５】図２に示す給湯制御部の足し湯作動順序を示すフローチャート。
【図６】図５に続く給湯制御部の足し湯作動順序を示すフローチャート。
【図７】従来の風呂湯張り装置の概略構成を示す図。
【符号の説明】
【００３９】
３０    給湯制御部
３１    センサ情報入力部
３２    演算部
３２ａ  給湯容量計算部
３２ｂ  給湯熱量計算部
３３    記憶部
３４    風呂給水カウンタ
３６    表示部
３７    出力部
３８    主制御部（混合弁調整部）
３９    操作入力部（設定部）
【図１】
2008116130.tif 000003
【図２】
2008116130.tif 000004
【図３】
2008116130.tif 000005
【図４】
2008116130.tif 000006
【図５】
2008116130.tif 000007
【図６】
2008116130.tif 000008
【図７】
2008116130.tif 000009